(57)【特許請求の範囲】
【請求項１】
オーデイオ信号記録媒体に形成した記録トラックから得られる再生信号を復調し、前記記録トラックに記録したオーデイオ信号を再生する音声信号再生装置において、
トラックジャンプによる前記再生信号の不連続の周期を検出する周期検出手段と、
前記オーデイオ信号から、前記不連続の周期を基本周期にしてなる信号成分と、前記信号成分の高調波成分を抑圧するフィルタ回路と、
前記オーデイオ信号の再生速度の変化を検出する加減速検出手段とを有し、
前記再生速度が加速中又は減速中のとき、前記フィルタ回路のＱを低減する
ことを特徴とする音声信号再生装置。
【請求項２】
前記オーデイオ信号は、ディジタルオーデイオ信号でなり、
前記ディジタルオーデイオ信号の再生速度を検出する再生速度検出手段を有し、
前記再生速度に基づいて、前記不連続の周期を検出する
ことを特徴とする請求項１に記載の音声信号再生装置。
【請求項３】
前記ディジタルオーデイオ信号に付加されたアドレスにより、前記再生信号の不連続を検出する
ことを特徴とする請求項２に記載の音声信号再生装置。
【請求項４】
前記フィルタ回路は、
前記再生速度が加速中又は減速中のとき、前記再生速度検出手段によって検出した前記不連続の周期により、該不連続の周期を基本周期にしてなる信号成分と、前記信号成分の高調波成分を抑圧し、
前記再生速度が一定値に保持されたとき、前記アドレスによって検出された前記不連続の周期により、該不連続の周期を基本周期にしてなる信号成分と、前記信号成分の高調波成分を抑圧する
ことを特徴とする請求項３に記載の音声信号再生装置。
【請求項５】
前記オーデイオ信号記録媒体は、
磁気テープでなり、
前記加減速検出手段は、
前記磁気テープを走行させるキャプスタンモータの駆動電流を監視して、前記ディジタルオーデイオ信号の再生速度の変化を検出し、
前記再生速度検出手段は、
前記磁気テープの回転ドラムに対する相対的な走行速度を検出して前記ディジタルオーデイオ信号の再生速度を検出する
ことを特徴とする請求項４に記載の音声信号再生装置。
【発明の詳細な説明】
【０００１】
【産業上の利用分野】
本発明は、音声信号再生装置に関し、例えばディジタルビデオテープレコーダ、ディジタルオーデイオテープレコーダ等に適用することができる。
【０００２】
【従来の技術】
従来、ディジタルビデオテープレコーダ、ディジタルオーデイオテープレコーダ等の磁気記録再生装置においては、磁気テープ上に順次斜めに記録トラックを形成してディジタルオーデイオ信号を記録再生するようになされている。
【０００３】
例えばディジタルビデオテープレコーダにおいては、アナログ信号の形式で入力されるオーデイオ信号については、所定のサンプリング周波数でこのオーデイオ信号をディジタル信号に変換し、これによりディジタルオーデイオ信号を生成する。さらにディジタルビデオテープレコーダは、このようにして生成したディジタルオーデイオ信号を、又はディジタルオーデイオインターフェースを介して入力されるディジタルオーデイオ信号を、所定のブロック単位でシャフリング処理した後、積符号形式の誤り訂正符号を付加し、所定の変調方式によって変調する。
【０００４】
これに対して映像信号については、同様にディジタル信号に変換した後、シャフリング処理すると共に積符号形式の誤り訂正符号を付加し、所定の変調方式により変調する。このようにして記録に供するデータを生成すると、ディジタルビデオテープレコーダは、これらのデータにより回転ドラムに搭載した複数組の磁気ヘッドを駆動し、これにより複数対の記録トラックを１組にしてディジタルオーデイオ信号及びディジタルビデオ信号をセグメント記録する。
【０００５】
これに対して再生時、ディジタルビデオテープレコーダは、磁気ヘッドを介して得られる再生信号をヘッドアンプで増幅した後、ディジタルビデオ信号及びディジタルオーデイオ信号の各処理系統において再生したデータを復調し、この復調したデータを誤り訂正処理する。さらにディジタルビデオテープレコーダは、この復調したデータをデインターリーブ処理する共に、必要に応じて補間処理し、これにより高密度記録したディジタルオーデイオ信号をディジタルビデオ信号と共に再生するようになされている。
【０００６】
この一連の処理において、ディジタルビデオテープレコーダは、誤り訂正符号を付加してディジタルオーデイオ信号を記録すると共に、再生時、この誤り訂正符号を用いて誤り訂正処理し、これによりディジタルオーデイオ信号のビット誤りを有効に回避する。
【０００７】
さらに磁気記録再生装置は、記録時、ディジタルオーデイオ信号をインターリーブ処理すると共に、複数対の記録トラックを用いてセグメント記録し、再生時、このセグメント記録したデータをデインターリーブ処理すると共に、必要に応じて補間処理することにより、ドロップアウト等の影響を有効に回避する。
【０００８】
これによりディジタルビデオテープレコーダは、ディジタルビデオ信号だけでなく、ディジタルオーデイオ信号についても音質劣化を有効に回避するようになされ、繰り返し記録再生した場合でも、高音質のディジタルオーデイオ信号を再生することができるようになされている。
【０００９】
【発明が解決しようとする課題】
ところでディジタルビデオテープレコーダにおいては、編集作業の頭出し等において、可変速再生する場合がある。この場合ディジタルビデオテープレコーダにおいては、１つの磁気ヘッドが複数の記録トラックを斜めに横切って再生信号を出力することになる。
【００１０】
従ってこの場合、ディジタルビデオテープレコーダでは、磁気ヘッドが記録トラックを横切るタイミングを境にして、不連続の再生データが得られる。また、いわゆるダイナミックトラッキングヘッドを用いてトラッキング制御する場合においても、トラックジャンプすることにより、このトラックジャンプの際、不連続の再生データが得られる。
【００１１】
この不連続の再生データにおいては、補間処理しても完全に元のオーデイオデータを再現し得ず、結局、この場合ディジタルビデオテープレコーダでは、再生したオーデイオ信号に異音が発生し、この異音が聞き苦しい問題があった。
【００１２】
この問題を解決するため、従来のディジタルビデオテープレコーダでは、いわゆるクロスフェードの手法を適用して不連続の再生データをつなぎ合わせようになされているが、この方法でも聞き苦しさを完全に改善し得ず、実用上未だ不充分な問題がある。
【００１３】
また異音が発生する期間の間、再生されたオーデイオ信号を消音する方法もあるが、再生されたオーデイオ信号が途切れ途切れに出力されることにより、この場合も聞き苦しさを完全に解消できない問題がある。
【００１４】
本発明は以上の点を考慮してなされたもので、可変速再生時の異音を低減することができる音声信号再生装置を提案しようとするものである。
【００１５】
【課題を解決するための手段】
かかる課題を解決するため第１の発明においては、オーデイオ信号記録媒体２に形成した記録トラックＴ１、Ｔ２、Ｔ３、……から得られる再生信号ＰＢを復調し、これらの記録トラックＴ１、Ｔ２、Ｔ３、……に記録したオーデイオ信号Ｓ５を再生する音声信号再生装置１において、トラックジャンプによる再生信号ＰＢの不連続の周期Ｔｊを検出する周期検出手段３０と、オーデイオ信号Ｓ５から、この不連続の周期Ｔｊを基本周期にしてなる信号成分と、この信号成分の高調波成分２Ｔｊ、３Ｔｊ、……を抑圧するフィルタ回路２１と、オーデイオ信号Ｓ５の再生速度の変化を検出する加減速検出手段３０を有し、再生速度が加速中又は減速中のとき、フィルタ回路２１のＱを低減するようにする。
【００１６】
特に、このオーデイオ信号Ｓ５は、ディジタルオーデイオ信号でなる場合に適用することができる。
【００１８】
特に、この音声信号再生装置１に、オーデイオ信号Ｓ５の再生速度を検出する再生速度検出手段３０を付加し、再生速度検出手段３０で検出した再生速度に基づいて、不連続の周期Ｔｊを検出する。
【００１９】
また、この音声信号再生装置１において、ディジタルオーデイオ信号Ｓ５に付加されたアドレスにより、再生信号ＰＢの不連続を検出するようにする。
【００２０】
特に、フィルタ回路２１において、再生速度が加速中又は減速中のとき、再生速度検出手段３０によって検出した不連続の周期Ｔｊにより、該不連続の周期Ｔｊを基本周期にしてなる信号成分と、この信号成分の高調波成分２Ｔｊ、３Ｔｊ、……を抑圧し、再生速度が一定値に保持されたとき、アドレスによって検出された不連続の周期Ｔｊにより、該不連続の周期Ｔｊを基本周期にしてなる信号成分と、この信号成分の高調波成分２Ｔｊ、３Ｔｊ、……を抑圧する。
【００２１】
さらにオーデイオ信号記録媒体が磁気テープの場合、加減速検出手段３０において、磁気テープ２を走行させるキャプスタンモータ８の駆動電流Ｉを監視して、オーデイオ信号Ｓ５の再生速度の変化を検出し、再生速度検出手段３０において、磁気テープ２の回転ドラム７に対する相対的な走行速度を検出してオーデイオ信号Ｓ５の再生速度を検出する。
【００２４】
【作用】
トラックジャンプによる再生信号ＰＢの不連続の周期Ｔｊを検出し、この不連続の周期Ｔｊを基本周期にしてなる信号成分と、この信号成分の高調波成分２Ｔｊ、３Ｔｊ、……を抑圧すれば、その分異音を低減することができる。また、オーデイオ信号Ｓ５の再生速度の変化を検出する加減速検出手段３０を付加し、再生速度が加速中又は減速中のとき、フィルタ回路２１のＱを低減すれば、再生速度の変化に対応して間欠的にフィルタ回路２１の特性を切り換えるだけで、不連続の周期Ｔｊを基本周期にしてなる信号成分と、この信号成分の高調波成分２Ｔｊ、３Ｔｊ、……を抑圧することができる。
【００２５】
特に、このオーデイオ信号Ｓ５がディジタルオーデイオ信号でなる場合に適用して、耳障りな異音を低減することができる。
【００２７】
特に、この音声信号再生装置１に、オーデイオ信号Ｓ５の再生速度を検出する再生速度検出手段３０を付加し、再生速度検出手段３０で検出した再生速度に基づいて、不連続の周期を検出して、簡易に不連続の周期Ｔｊを検出することができる。
【００２８】
また、この音声信号再生装置１において、ディジタルオーデイオ信号Ｓ５に付加されたアドレスにより、再生信号ＰＢの不連続を検出して、高い精度で不連続の周期Ｔｊを検出することができる。
【００２９】
これによりフィルタ回路２１において、再生速度が加速中又は減速中のとき、再生速度検出手段３０によって検出した不連続の周期Ｔｊにより、該不連続の周期Ｔｊを基本周期にしてなる信号成分と、この信号成分の高調波成分２Ｔｊ、３Ｔｊ、……を抑圧し、再生速度が一定値に保持されたとき、アドレスによって検出された不連続の周期Ｔｊにより、該不連続の周期Ｔｊを基本周期にしてなる信号成分と、この信号成分の高調波成分２Ｔｊ、３Ｔｊ、……を抑圧して、再生速度の変化に対応してフィルタ回路２１の特性を切り換えることができ、このとき音質劣化を有効に回避してこれらの信号成分を抑圧することができる。
【００３０】
特に、オーデイオ信号記録媒体が磁気テープ２の場合、加減速検出手段３０において、磁気テープ２を走行させるキャプスタンモータ８の駆動電流Ｉを監視することにより、オーデイオ信号Ｓ５の再生速度の変化を検出し、再生速度検出手段３０において、磁気テープ２の回転ドラム７に対する相対的な走行速度を検出してオーデイオ信号Ｓ５の再生速度を検出して、簡易に不連続の周期Ｔｊ等を検出することができる。
【００３３】
【実施例】
以下、本発明の一実施例を図面に基づいて詳述する。
【００３４】
図１において１は全体としてディジタルビデオテープレコーダを示し、磁気テープ２にディジタルオーデイオ信号及びディジタルビデオ信号を記録する。
【００３５】
すなわちディジタルビデオテープレコーダ１において、磁気テープ２は、テープガイド３〜６により回転ドラム７に巻き付けられた状態で、キャプスタンモータ８によって所定の走行速度で走行する。回転ドラム７は、複数対の磁気ヘッド９を搭載し、ドラムモータにより所定の回転速度で回転し、これにより磁気テープ２に順次斜めに磁気ヘッド９の走査軌跡を形成する。
【００３６】
これによりディジタルビデオテープレコーダ１は、記録モードにおいて、ロータリートランス１０を介してこれら複数対の磁気ヘッド９を駆動して、磁気テープ２に順次斜めに記録トラックを形成してディジタルオーデイオ信号及びディジタルビデオ信号をセグメント記録するようになされている。すなわちディジタルビデオテープレコーダ１は、順次入力されるディジタルオーデイオ信号及びディジタルビデオ信号を、それぞれ所定のブロック単位でシャフリング処理した後、積符号形式の誤り訂正符号、シンク等を付加する。さらにディジタルビデオテープレコーダ１は、磁気記録再生系の特性に適した変調方式により変調し、その結果得られる変調信号によりロータリートランス１０を介して磁気ヘッド９を駆動する。
【００３７】
これに対して通常の再生モードにおいて、ディジタルビデオテープレコーダ１は、磁気テープ２の長手方向に形成したコントロールトラックからコントロール信号を得、このコントロール信号を基準にして磁気テープ走行系を制御することにより、トラッキング制御する。これにより図２に示すように、ディジタルビデオテープレコーダ１は、各記録トラックＴ１、Ｔ２、……を対応する磁気ヘッド９で走査し、ロータリートランス１０を介してこれら磁気ヘッド９から得られる再生信号ＰＢを選択回路１１に入力する。
【００３８】
選択回路１１は、回転ドラム７の回転周期に同期したタイミングで接点を切り換え、これにより各磁気ヘッド９が磁気テープ２を走査する期間の間、各磁気ヘッド９から得られる再生信号ＰＢを増幅回路１２に出力する。増幅回路１２は、この再生信号ＰＢを規定の利得で増幅して出力し、ＲＦイコライザ（ＲＦ  ＥＱ）１３は、この増幅回路１２の出力信号を波形等化して出力する。
【００３９】
チャンネルデコーダ１４は、このＲＦイコライザ１３の出力信号を２値化してシルアルデータに変換した後、このシリアルデータを復号して出力し、これにより記録時の変調方式に対応する復調の処理を実行する。ＩＤ検出回路１５は、このチャンネルデコーダ１４の出力データから記録時に付加したシンクを検出することにより、このシンクによって指定される出力データのアドレスを検出し、このアドレスを基準にして続く誤り訂正回路（ＥＣＣ）１６にこの出力データを順次出力する。
【００４０】
誤り訂正回路１６は、記録時に付加した積符号形式の誤り訂正符号を用いて、この出力データを誤り訂正処理し、誤り訂正した出力データを誤り訂正処理結果と共に出力する。デシャフリング回路１７は、この誤り訂正回路１６の出力データをデシャフリングすることにより、このデータ列を記録時のデータ列の変換して出力する。このときデシャフリング回路１７は、誤り訂正回路１６の誤り訂正処理結果に基づいて補間演算処理し、これにより誤り訂正し得なったデータを補間して出力する。
【００４１】
これによりディジタルビデオテープレコーダ１は、このデシャフリング回路１７を介して元のディジタルオーデイオ信号を再現できるようになされ、このディジタルオーデイオ信号をディジタルアナログ変換回路（Ｄ／Ａ）１９でアナログ信号の形式に変換して出力するようになされている。なおディジタルビデオテープレコーダ１においては、ビデオ系においても、上述したオーデイオ系と同様に磁気ヘッド９の再生信号ＰＢを処理してビデオ信号を再生するようになされている。
【００４２】
ところで、周波数ｆｓの正弦波信号を磁気ヘッド９に供給して各記録トラックＴ１、Ｔ２、……を形成したとして、このように各磁気ヘッド９が対応する記録トラックＴ１、Ｔ２、……を順次正しく走査している場合、再生信号ＰＢは、図３に示すように、周波数ｆｓで正弦波状に連続して信号レベルが変化するようになる。この場合図４に示すように、再生信号ＰＢの周波数スペクトラムは、周波数ｆｓの単一のスペクトラムで表されることになる。
【００４３】
これに対してこのように周波数ｆｓの正弦波信号で記録トラックを形成した磁気テープを、例えば倍速で走行させた場合、図５に示すように、各磁気ヘッド９は、対応する記録トラックＴ１、Ｔ３、Ｔ５……の走査を開始した後、走査半ばにして先行側の記録トラックＴ２、Ｔ４、Ｔ６……にトラックジャンプすることになる。この場合図６に示すように、磁気ヘッド９から得られる再生信号ＰＢは、トラックジャンプの点Ｐ１、Ｐ２、Ｐ３で不連続になり、この不連続の繰り返し周期をＴｊとおくと、図７に示すようにスペクトラムを表すことができる。
【００４４】
すなわちこの場合、周波数ｆｓの正弦波信号が不連続になることにより、結局この周波数ｆｓの正弦波信号が歪んだことになり、周波数ｆｓの基本波に対して、周波数２ｆｓ、３ｆｓ、……の高調波が発生する。これによりこの高調波がノイズの一因となることがわかる。
【００４５】
またこの場合、この不連続が周期Ｔｊで繰り返されることにより、この繰り返し周期Ｔｊに対して周波数ｆｊ＝１／Ｔｊで表されるノイズ成分が発生し、またこの周波数ｆｊのノイズ成分についても高調波が同様に発生していることになる。従ってこの場合、周波数ｆｓの高調波だけでなく、周波数ｆｊのノイズ成分とこのノイズ成分の高調波とを抑圧すれば、聴感上、異音を低減できることがわかる。
【００４６】
これに対して実際のディジタルビデオテープレコーダにおいては、ディジタルオーデイオ信号をシャフリングした後、誤り訂正符号等を付加し、さらに変調して記録している。従って実際のディジタルビデオテープレコーダにおいては、再生信号ＰＢ本来の周波数帯域がこの説明の場合より広く、さらに再生後のディジタルオーデイオ信号は、デシャフリングすることにより、このような単一周波数ｆｓの場合とスペクトラム及び信号波形が異なることは明らかである。
【００４７】
しかし不連続の繰り返し周期Ｔｊを基本周期にしてなるノイズ成分においては、再生後のディジタルオーデイオ信号についても、周波数ｆｊと、この周波数ｆｊの２倍、３倍、……の周波数を基本周波数にして上述した関係で発生し、再生信号ＰＢ本来の周波数帯域が広い分、この周波数ｆｊ、ｆｊの２倍、３倍、……の周波数からノイズ成分の側波帯が広がった状態になる。
【００４８】
従ってこの不連続の繰り返し周期Ｔｊを基本周期にしてなるノイズ成分について、周波数ｆｊ、２ｆｊ、３ｆｊ、……を遮断周波数に設定してなるくし型フィルタを用いて抑圧することにより、聴感上、異音を低減することができる。さらにこの不連続の繰り返し周期Ｔｊは、磁気テープ２の走行速度に応じて変化することにより、磁気テープ２の走行速度を検出してこのくし型フィルタの周波数特性を切り換えるようにすれば、何れの再生速度を選択した場合でも、不連続の繰り返し周期Ｔｊを基本周期にしてなるこれらのノイズ成分を抑圧することができる。
【００４９】
これに対して再生信号ＰＢ本来のスペクトラムに対して、高調波の関係にあるノイズ成分（図７においては周波数２ｆｓ、３ｆｓ、……の成分でなる）は、従来手法でなるクロスフェードの処理を実行して抑圧することができる。このノイズ抑圧原理に基づいて、ディジタルビデオテープレコーダ１は、可変速再生モードにおいて、クロスフェード回路２０及び適応型フィルタ回路２１を用いてノイズを低減する。
【００５０】
すなわちディジタルビデオテープレコーダ１において、回転ドラム７は、ＦＧ（Ｆｒｅｑｕｅｎｃｙ  Ｇｅｎｅｒａｔｏｒ  ）及びＰＧ（Ｐｈａｓｅ  Ｇｅｎｅｒａｔｏｒ  ）を内蔵し、このＦＧは、回転ドラム７の回転速度に応じて周波数が変化する正弦波状の周波数信号ＤＦＧを出力し、ＰＧは、回転ドラム７の回転位相に応じてパルス状に信号レベルが立ち上がる回転位相信号ＤＰＧを出力する。
【００５１】
増幅回路２３及び２４は、それぞれ周波数信号ＤＦＧ及び回転位相信号ＤＰＧを増幅して出力し、波形整形回路２５は、増幅回路２３の出力信号を波形整形することにより、回転ドラム７が半回転する周期で論理レベルが反転するドラムＦＧ信号Ｓ１をデイテクター３０に出力する。波形整形回路２６は、増幅回路２４の出力信号を波形整形することにより、回転位相信号ＤＰＧの信号レベルの立ち上がりに同期して論理レベルが立ち上がるドラムＰＧ信号Ｓ２をデイテクター３０に出力する。
【００５２】
これによりディジタルビデオテープレコーダ１では、デイテクター３０において、ドラムＦＧ信号Ｓ１及びドラムＰＧ信号Ｓ２により、磁気ヘッド９の走査開始のタイミング及び回転ドラム７の回転位相を検出することができるようになされている。なおディジタルビデオテープレコーダ１では、これに加えてドラムＦＧ信号Ｓ１及びドラムＰＧ信号Ｓ２を基準にしてドラムモータを駆動し、回転ドラム７を一定の回転速度で回転駆動するようになされている。
【００５３】
キャプスタンモータ８は、同様に、ＦＧを内蔵し、増幅回路２７は、このＦＧから出力される周波数信号ＤＦＧを増幅して出力し、波形整形回路２８は、増幅回路２７の出力信号を波形整形することにより、キャプスタンモータ８が所定角度回転する周期で論理レベルが反転するキャプスタンＦＧ信号Ｓ３をデイテクター３０に出力する。これによりディジタルビデオテープレコーダ１では、デイテクター３０において、ノーマル再生時を基準にしてこのキャプスタンＦＧ信号Ｓ３の周期を検出することにより、磁気テープ２の走行速度を検出できるようになされている。
【００５４】
ＩＤ検出回路１５は、チャンネルデコーダ１４の出力データから検出したシンクを、シンク情報Ｓ４としてデイテクター３０に出力し、デイテクター３０は、ユーザが可変速再生の動作モードを選択すると、不連続検出回路３１を動作状態に立ち上げ、この不連続検出回路３１にシンク情報Ｓ４を出力する。ここで不連続検出回路３１は、シンク情報Ｓ４により順次ＩＤ検出回路１５に入力されるデータに連続したアドレスが割り当てられているか否か判断し、ここで連続するアドレスが割り当てられていないときトラックジャンプが発生したと判断する。
【００５５】
すなわちこの種のディジタルビデオテープレコーダ１においては、シンクとして連続するアドレスを割り当ててオーデイオデータ、ビデオデータを記録するようになされており、この実施例では、このアドレスの不連続を検出してトラックジャンプを検出する。
【００５６】
さらに不連続検出回路３１は、このようにしてトラックジャンプを検出すると、クロスフェード回路２０に出力するパラメータを順次切り換え、これによりクロスフェードの処理を実行する。
【００５７】
すなわちクロスフェード回路２０は、不連続検出回路３１から出力されるパラメータによりデシャフリング回路１７の出力データを重み付け処理して出力し、これにより不連続の再生信号ＰＢに対応するデシャフリング回路１７の出力データをクロスフェード処理して出力する。すなわち図８に示すように、クロスフェード回路２０は、不連続の点Ｐ１、Ｐ２、Ｐ３、……に対応する期間のディジタルオーデイオ信号Ｓ５について、先行する記録トラック側から得られる再生データについては、不連続のタイミングを間に挟んで、時間軸上で遅延して出力するデータ程信号レベルが小さくなるように、また後行する記録トラック側から得られる再生データについては、同様に不連続のタイミングを間に挟んで、時間軸上で遅延して出力するデータ程正規の信号レベルに近づくように、順次連続するオーデイオデータを重み付け処理する。これにより図９に示すように、このクロスフェード回路２０を介して出力されるディジタルオーデイオ信号においては、ディジタルオーデイオ信号の高調波成分が抑圧されて出力されることになり、その分異音を低減することができる。
【００５８】
さらにデイテクター３０は、この可変速再生モードにおいて、内蔵のノッチ周波数測定回路３２により不連続の繰り返し周期Ｔｊを検出し、この検出結果により適応型フィルタ回路２１の特性を切り換え、これにより上述した不連続の繰り返し周期Ｔｊを基本周期にしてなるノイズ成分を抑圧する。このときデイテクター３０は、キャプスタンモータ８の駆動電流Ｉをモニタすることにより、磁気テープ２の加速及び減速をモニタし、磁気テープ２の走行速度が一定値になると、ノッチ周波数測定回路３２の動作を切り換えると共に、適応型フィルタ回路２１の特性を切り換える。
【００５９】
すなわちユーザがジョグダイヤルを操作して磁気テープ２の走行速度が変化している場合、また磁気テープ２がユーザの指定した再生速度に立ち上る途中等の場合、磁気テープ２は走行速度が加速又は減速中の状態に保持され、このときデイテクター３０は、キャプスタンＦＧ信号Ｓ３、ドラムＦＧ信号Ｓ１及びドラムＰＧ信号Ｓ２により繰り返し周期Ｔｊを測定するように、ノッチ周波数測定回路３２の動作を切り換える。
【００６０】
これによりノッチ周波数測定回路３２は、ドラムＦＧ信号Ｓ１及びドラムＰＧ信号Ｓ２によって検出される磁気ヘッド９の走査のタイミング（すなわち回転ドラム７の回転位相でなる）を基準にして、キャプスタンＦＧ信号Ｓ３の信号レベルが切り換わるタイミングを監視し、これにより再生速度を測定し、上述した不連続の周期Ｔｊを測定する。
【００６１】
ここで磁気テープ２がノーマル再生時の整数倍の走行速度で連続して走行している場合、図５について上述したように、常に一定のタイミングで（図５に示す場合は走査のほぼ中間のタイミングでなる）磁気ヘッド９がトラックジャンプすることになる。ところが磁気テープ２の走行速度がノーマル再生時の整数倍からずれている場合、各磁気ヘッド９においては、走査開始からトラックジャンプのタイミングまでの期間が、各走査毎に変化することになる。
【００６２】
また磁気テープ２の走行速度が例えばノーマル再生の走行速度から３倍速の走行速度に変化している途中で２倍速の走行速度に立ち入った場合、この場合磁気ヘッド９は、対応する記録トラックを必ずしもジャストトラッキングの状態で走査を開始しないことにより、走行速度がノーマル再生速度の整数倍にも係わらず、トラックジャンプのタイミングが走査開始端側又は走査終了端側にずれることになる。
【００６３】
従ってこの実施例においては、単にキャプスタンＦＧ信号Ｓ３の周期を検出して得られる再生速度だけでなく、回転ドラム７の回転位相をも考慮して再生速度を検出することにより不連続の周期Ｔｊを検出し、これにより確実にノイズ成分を抑圧できるようにする。かくしてノッチ周波数測定回路３２は、このようにして不連続の周期Ｔｊを検出すると、図１０に示すように、この不連続の周期Ｔｊを基本周期にしてなるノイズ成分と、このノイズ成分とを抑圧するように、適応型フィルタ回路２１の係数を設定する。
【００６４】
これにより図１１に示すように、適応型フィルタ回路２１は、クロスフェードの処理によっては抑圧できなかったノイズ成分（図１１において斜線で示す信号成分）を抑圧することができ、これにより従来に比して格段的に異音を低減することができ、聴感上のクオリティを向上することができる。
【００６５】
さらにこのようにして磁気テープ２の走行速度が加速又は減速途中のとき、デイテクター３０は、適応型フィルタ回路２１のＱを低減するように、係数を設定する。すなわち磁気テープ２の走行速度が加速又は減速途中のとき、不連続の繰り返し周期Ｔｊもこの走行速度の変化に追従して変化することになり、フィルタ回路２１においては、この走行速度の変化に追従して係数を切り換える必要がある。
【００６６】
ところがこのような場合において、ユーザがジョグダイヤルを操作して走行速度を緩やかに可変しているような場合は、この走行速度の変化に追従して係数を切り換えることができる。ところがこの走行速度の変化が速い場合、係数を頻繁に切り換える必要があり、その分フィルタ回路２１の構成が煩雑になる。ところがこの実施例のようにフィルタ回路２１のＱを低減すれば、その分頻繁な係数の切り換えを回避することができ、これにより間欠的にフィルタ回路２１の特性を切り換えてノイズを充分に抑圧することができる。
【００６７】
これに対して磁気テープ２の走行速度が一定値に保持されると、デイテクター３０は、ＩＤ検出回路１５から出力されるＩＤ情報Ｓ４に基づいて繰り返し周期Ｔｊを測定するように、ノッチ周波数測定回路３２の動作を切り換え、さらにフィルタ回路２１のＱを高く設定する。ここでノッチ周波数測定回路３２は、上述した不連続検出回路３１と同様の手法を適用して、実際の再生データから不連続の周期Ｔｊを検出し、この周期Ｔｊを基本周期にしてなるノイズ成分を抑圧するように、フィルタ回路２１の係数を切り換える。
【００６８】
これによりディジタルビデオテープレコーダ１は、再生速度が一定値になり、フィルタ回路２１の係数を切り換える必要がなくなると、実際の再生データにより検出される不連続の周期Ｔｊにより確実にノイズ成分を抑圧し、これにより再生したオーデイオ信号Ｓ５の音質劣化を有効に回避してノイズを低減する。さらにこのとき、フィルタ回路２１のＱを高く設定することにより、ノイズ成分以外のオーデイオ信号成分については、音質劣化を有効に回避してノイズを抑圧し、かくして聴感上のクオリティを従来に比して格段的に向上することができる。
【００６９】
以上の構成において、記録時、順次入力されるディジタルオーデイオ信号は、所定のブロック単位でシャフリング処理されて積符号形式の誤り訂正符号、シンク等が付加された後、変調され、磁気テープ２にセグメント記録される。
【００７０】
これに対して再生時、磁気ヘッド９から得られる再生信号ＰＢは、増幅回路１２で増幅された後、ＲＦイコライザ１３で波形等化され、続くチャンネルデコーダ１４で再生データに変換される。この再生データは、さらにチャンネルデコーダ１４で復号された後、ＩＤ検出回路１５でＩＤ情報Ｓ４が検出され、続く誤り訂正回路１６で誤り訂正処理される。さらにこの再生データは、続くデシャフリング回路１７でデシャフリングされてディジタルオーデイオ信号Ｓ５に変換され、ディジタルアナログ変換回路１９でアナログ信号に変換されて出力される。
【００７１】
この一連の再生系において、可変速再生時、再生信号ＰＢは、シンクの連続性が不連続検出回路３１で検出されることにより、不連続のタイミングが検出され、このタイミングを基準にしてクロスフェード回路２０において、トラックジャンプした前後で、ディジタルオーデイオ信号Ｓ５がクロスフェード処理され、これによりディジタルオーデイオ信号Ｓ５の高調波で形成されるノイズ成分が抑圧される。
【００７２】
またこの可変速再生時、ディジタルビデオテープレコーダ１では、キャプスタンモータ８の駆動電流Ｉにより磁気テープ２の加減速が検出される。ここで磁気テープ２が加減速しているとき、再生信号ＰＢは、キャプスタンＦＧ信号Ｓ３、ドラムＦＧ信号Ｓ１及びドラムＰＧ信号Ｓ２により、回転ドラム７の回転位相を基準にしてキャプスタンモータ８の回転速度から不連続の周期Ｔｊが検出され、この不連続の周期Ｔｊを基本周期にしてなるノイズ成分と、その高調波とがフィルタ回路２１にて抑圧される。またこのときこのフィルタ回路２１のＱが低い値に設定されることにより、再生速度の変化に対応して不連続の周期Ｔｊを基本周期にしてなるノイズ成分と、その高調波とがフィルタ回路２１にて抑圧される。
【００７３】
さらに磁気テープ２の走行速度が一定値になると、再生信号ＰＢは、ＩＤ情報Ｓ４により不連続の周期Ｔｊが検出され、この不連続の周期Ｔｊを基本周期にしてなるノイズ成分と、その高調波とがフィルタ回路２１にて抑圧される。またこのときこのフィルタ回路２１のＱが高い値に設定されることにより、ディジタルオーデイオ信号Ｓ５の音質劣化を有効に回避してこれらのノイズ成分がフィルタ回路２１にて抑圧される。
【００７４】
以上の構成によれば、再生信号ＰＢの不連続の周期Ｔｊを検出し、この不連続の周期Ｔｊを基本周期にしてなるノイズ成分と、その高調波とを抑圧するように、適応型フィルタ回路２１の特性を切り換えることにより、可変速再生時における異音の発生を有効に回避して、聴感上、高品質のオーデイオ信号を再生することができる。
【００７５】
なお上述の実施例においては、可変速再生時、各磁気ヘッドが記録トラックを斜めに横切ってトラックジャンプする場合について述べたが、本発明はこれに限らず、いわゆるダイナミックトラッキングの手法を適用する場合にも、上述した再生信号の不連続の周期を基本周期にしてなるノイズ成分と、このノイズ成分との高調波が発生することにより、この場合にも同様の手法を適用して異音を低減することができる。
【００７６】
さらに上述の実施例においては、クロスフェード回路と適応型フィルタ回路とを組み合わせて異音を低減する場合について述べたが、本発明はこれに限らず、ミユーティングの処理と適応型フィルタ回路とを組み合わせた場合等にも広く適用することができ、また実用上充分な範囲においては、適応型フィルタ回路だけで異音を低減してもよい。
【００７７】
また上述の実施例においては、シンク情報から再生信号の不連続を直接検出する場合について述べたが、本発明はこれに限らず、再生信号のエンベロープの変化を検出して不連続を検出する場合等、種々の検出手段を広く適用することができる。
【００７８】
さらに上述の実施例においては、適応型フィルタ回路において、遮断周波数とＱとを切り換える場合について述べたが、本発明はこれに限らず、実用上充分な場合、Ｑの切り換えを省略してもよい。
【００７９】
また上述の実施例においては、磁気テープの加減速時と、一定走行速時とで不連続の検出手法を切り換える場合について述べたが、本発明はこれに限らず、実用上充分な範囲において、これら何れかの方法で不連続を検出し、この不連続の検出手法の切り換えを省略してもよい。
【００８０】
さらに上述の実施例においては、本発明をディジタルビデオテープレコーダに適用した場合について述べたが、本発明はこれに限らず、例えばディジタルオーデイオテープレコーダ、さらにはアナログ信号形式のビデオテープレコーダを利用したＰＣＭプロセッサ等にも広く適用することができる。
【００８１】
さらに上述の実施例においては、本発明をディジタルオーデイオ信号の再生系に適用した場合について述べたが、本発明はこれに限らず、例えばオーデイオ信号をビデオ信号と周波数多重化して磁気テープに順次斜め記録するビデオテープレコーダ等にも適用することができる。
【００８３】
【発明の効果】
上述のように本発明によれば、再生信号の不連続の周期を検出し、この不連続の周期を基本周期にしてなる信号成分とその高調波成分を抑圧することにより、可変速再生時における異音の発生を低減し、聴感上、高品質のオーデイオ信号を再生することができる。
【図面の簡単な説明】
【図１】本発明の一実施例によるディジタルビデオテープレコーダを示すブロック図である。
【図２】図１のディジタルビデオテープレコーダによるノーマル再生における磁気ヘッドの走査軌跡を示す略線図である。
【図３】図２の状態における再生信号の説明に供する信号波形図である。
【図４】図３の状態における再生信号のスペクトラムを表す特性曲線図である。
【図５】図２に対応して可変速再生時の磁気ヘッドの走査軌跡を示す略線図である。
【図６】図３に対応して可変速再生時の再生信号のスペクトラムを表す特性曲線図である。
【図７】図４に対応して可変速再生時の再生信号のスペクトラムを表す特性曲線図である。
【図８】クロスフェードの説明に供する信号波形図である。
【図９】クロスフェード処理によるノイズの低減の説明に供する特性曲線図である。
【図１０】図１のディジタルビデオテープレコーダの適応型フィルタの周波数特性を示す特性曲線図である。
【図１１】図１０の適応型フィルタ回路によるノイズの低減の説明に供する特性曲線図である。
【符号の説明】
１          ディジタルビデオテープレコーダ
２          磁気テープ
９          磁気ヘッド
２０        クロスフェード回路
２１        適応型フィルタ
３０        ディテクター
３１        不連続検出回路
３２        ノッチ周波数測定回路
【図１】
0003614895.tif 000002
【図２】
0003614895.tif 000003
【図３】
0003614895.tif 000004
【図４】
0003614895.tif 000005
【図５】
0003614895.tif 000006
【図６】
0003614895.tif 000007
【図７】
0003614895.tif 000008
【図８】
0003614895.tif 000009
【図９】
0003614895.tif 000010
【図１０】
0003614895.tif 000011
【図１１】
0003614895.tif 000012